(57)【要約】      （修正有）【課題】大津波発生時において、高齢者や子供等であっても容易に短時間で避難する事ができ、簡単な構造で安価な浮上式小部屋を提供する。【解決手段】地盤に構築した基礎構造体の上部に、周囲を鋼板で囲い内部に発泡ポリスチレンフォームを嵌め込んだ浮力室１１を載せ、その浮力室の上部に浮力室と一体となるように平屋住宅１を構築し、大津波が押し寄せた際に、浮力室と一体となるように構築した平屋住宅を、概ね水平状態を保った状態で浮上させ、平屋住宅の船外機用外開きドアの室内側に船外機を横向きに設置し、浮力室と一体となるように構築した平屋住宅が大津波の上に浮き上がった後、船外機用外開きドアを開けてドアを固定し、ドアに設置した船外機を下部の取付金物に移設して稼動させ水面を自走する浮上式小部屋を提供する。【選択図】図３
2014201304.tif 000002
【特許請求の範囲】
【請求項１】
地盤に構築した基礎構造体の上部に、周囲を鋼板で囲い床部を面格子状に鋼板で塞ぎ、内部に発泡ポリスチレンフォームを嵌め込んだ浮力室を載せ、その浮力室の上部に浮力室と一体となるように平屋住宅を構築し、大津波が押し寄せた際、浮力室と一体となるように構築した平屋住宅を、概ね水平状態を保った状態で水面に浮上させ、船外機用外開きドアを開けてドアを固定し、船外機用外開きドアの室内側に横向きに設置した船外機を下げて稼動させ、平屋住宅を自走させた事を特徴とする津波対応浮上式小部屋（リフト式）。
【請求項２】
大津波が押し寄せて来る方向の、地盤に構築した基礎構造体の左右に、平行四辺形の形状をして四隅を回動自在に固定したリフト装置の下部支鋼材の両端を固定し、リフト装置を配置した平屋住宅の外壁面に、リフト装置の上部受鋼材を受け止めるための逆Ｌ字型をした受金物を取付け、平行四辺形の形状をしたリフト装置の上部受鋼材に、外壁面の逆Ｌ字型をした受金物を載せた事を特徴とする請求項１に記載の津波対応浮上式小部屋（リフト式）。
【請求項３】
大津波が押し寄せて来る方向の、地盤に構築した基礎構造体の左右何れか一方に、平行四辺形の形状をして四隅を回動自在に固定したリフト装置の下部支鋼材の両端を固定し、リフト装置を配置した平屋住宅の外壁面に、リフト装置の上部受鋼材を受け止めるための逆Ｌ字型をした受金物を取付け、平行四辺形の形状をしたリフト装置の上部受鋼材に、外壁面の逆Ｌ字型の受金物を載せた事を特徴とする請求項１に記載の津波対応浮上式小部屋（リフト式）。
【請求項４】
船外機用外開きドアの室内側に、船外機をドアに対して横方向に設置するための取付金具を上下２ヵ所に設置し、上部の取付金具に船外機を設置し、浮力室と一体となるように構築した平屋住宅が大津波の上に浮き上がった後、ドアを９０度開口して固定すると共に、船外機を下部の取付金具に移設して駆動させ、船外機の操作レバーを操作し、浮力室と一体となるように構築した平屋住宅の進行方向を変えた事を特徴とする請求項１乃至３に記載の津波対応浮上式小部屋（リフト式）。
【発明の詳細な説明】
【技術分野】
【０００１】  この発明は、平常時には人が住居として活用し、大地震による大津波発生時には、大津波の水の勢いで浮上式小部屋が概ね水平状態を保った状態で水面に浮上し、浮上式小部屋に取付けた船外機を稼動させて安全に避難するための浮上式小部屋の構造に関するものである。
【背景技術】
【０００２】  平成２３年３月１１日に発生した東日本大震災と、それに伴って発生した大津波により亡くなった死者と行方不明者の合計は２万人以上にも及び、今後も、東海トラフ地震等の大地震や大津波が発生するおそれのある事が指摘されており、災害時に自ら救命するための対策を準備しておく事が不可欠になっている。【０００３】  大地震が発生した際、津波災害に遭遇しないためには、いち早く安全な高台等に避難することが必要であるが、震源地が近い時や、高台の無い沿岸部で生活している人にとっては高いビルや高台等へ避難する時間的余裕がなく、特に、高齢者など足腰が弱い人の場合には、大地震発生から大津波が到達するまでの短時間の間に、ビル等の長い階段を上って高い位置にある屋上へと避難するのは非常に大変な事であり、また、車で避難する場合には交通渋滞等により避難場所までの移動が困難な状況となり、避難途中に津波に巻き込まれて死亡する危険性が高かった。【０００４】  さらに、昨年８月に示された南海トラフ巨大地震の被害想定では、死者は最大３２万人、建物全壊は２３８万棟と見込まれた事から、鉄骨構造で十数メートルの高さのタワー型避難台の建築も提案されている。しかし高齢者などが短時間の内に十数メートルの高さの階段を登ることが出来るかどうか疑問も残ると共に、津波の高さが十数メートル以内であるかどうかの保証も無いため、普及する段階まで至っていない。【０００５】  このような実情に鑑みて、津波発生時において短時間で避難できる簡易なシェルターが、例えば特許文献１で提案されている。これは家屋に対して一体に付設されて該家屋からの出入が可能なシェルターであって、大津波来襲時において家屋からシェルターを分離させるための分離手段と、家屋から分離させたシェルターを密閉する密閉手段とを具備し、家屋から分離させた状態において水に浮くシェルターであった。【０００６】  しかしながら、特許文献１は、家屋全体が高波に飲み込まれてしまうと、シェルターも家屋に押しつぶされて水面に浮上する事ができない恐れがあると共に、シェルター自体が水面に対して水平を保って上昇出来ない可能性があり、シェルターが大津波に飲み込まれて横転したり転覆したりして避難者が負傷する恐れがあるため、津波避難用のシェルターとしては問題が残った。【０００７】  さらに、例えば特許文献２では、建物の屋根部が密閉空間を有するシェルターで形成され、該シェルターが居住部の上方に配置された構造で、上部を屋根形状に形成すると共に、下部を略船底形状に形成した密閉可能なシェルターで、居住部とシェルターとが取付手段を介して固定され一体化しているシェルターであった。【０００８】  しかしながら、特許文献２は、密閉空間を有するシェルターのため、平常時に居住空間として使用するには、採光、通風の面で問題が残ると共に、大きな津波が押し寄せて来た際には、シェルターが大津波に巻き込まれ、シェルターが横転したり転覆してしまう危険性があった。【０００９】  さらに、地中固定された支柱に連結した油圧シリンダーの駆動により避難タワーを昇降させる技術が、例えば特許文献３で提案されているが、昇降可能の高さを超えた大津波が押し寄せてきた場合の対策としては不十分であ��た。
【先行技術文献】
【特許文献】
【００１０】
【特許文献１】特開２００７−２７７９９８
【特許文献２】特開２０１２−２３３３０６
【特許文献３】特開２００６−１１２０８８
【発明の概要】
【発明が解決しようとする課題】
【００１１】  本発明は、上記した従来技術の問題点を解決すべくなされたもので、大津波発生時において高齢者や子供等であっても容易に短時間で避難する事ができ、逃げ遅れて大津波に巻き込まれる危険性を解消する事ができ、簡単な構造で安価に構築する事ができる浮上式小部屋を提供することを課題とする。【００１２】  さらに、本発明の浮上式小部屋を大津波の避難用として使用する事は極めて稀であり、そのため、平常時においては、一般的な住宅と同様に生活するための小部屋として活用する事を前提とし、大津波に遭遇した場合でも横転したり転覆すること無く、概ね水平状態を保った状態で浮上し、どのような高い大津波にも対応できる避難所を提供することを課題とする。【００１３】  さらに、平成２３年３月１１日に発生した東日本大震災で問題となった、津波が海岸から沖合に向かって進行する引き波により、浮上式小部屋が沖合いまで流された場合も、自力で陸地まで戻ることを可能とする浮上式小部屋を提供することを課題とする。
【課題を解決するための手段】
【００１４】  かかる課題を解決するため、請求項１に記載の発明は、地盤に構築した基礎構造体の上部に、周囲を鋼板で囲い床部を面格子状に鋼板で塞ぎ、内部に発泡ポリスチレンフォームを嵌め込んだ浮力室を載せ、その浮力室の上部に浮力室と一体となるように平屋住宅を構築し、大津波が押し寄せた際、浮力室と一体となるように構築した平屋住宅を、概ね水平状態を保った状態で水面に浮上させ、船外機用外開きドアを開けてドアを固定し、船外機用外開きドアの室内側に横向きに設置した船外機を下げて稼動させ、平屋住宅を自走させた事を特徴とする。【００１５】  請求項２に記載の発明は、請求項１に記載の構造に加え、大津波が押し寄せて来る方向の、地盤に構築した基礎構造体の左右に、平行四辺形の形状をして四隅を回動自在に固定したリフト装置の下部支鋼材の両端を固定し、リフト装置を配置した平屋住宅の外壁面に、リフト装置の上部受鋼材を受け止めるための逆Ｌ字型をした受金物を取付け、平行四辺形の形状をしたリフト装置の上部受鋼材に、外壁面の逆Ｌ字型をした受金物を載せた事を特徴とする。【００１６】  請求項３に記載の発明は、請求項１に記載の構造に加え、大津波が押し寄せて来る方向の、地盤に構築した基礎構造体の左右何れか一方に、平行四辺形の形状をして四隅を回動自在に固定したリフト装置の下部支鋼材の両端を固定し、リフト装置を配置した平屋住宅の外壁面に、リフト装置の上部受鋼材を受け止めるための逆Ｌ字型をした受金物を取付け、平行四辺形の形状をしたリフト装置の上部受鋼材に、外壁面の逆Ｌ字型の受金物を載せた事を特徴とする。【００１７】  請求項４に記載の発明は、請求項１と２に記載の構造に加え、船外機用外開きドアの室内側に、船外機をドアに対して横方向に設置するための取付金具を上下２ヵ所に設置し、上部の取付金具に船外機を設置し、浮力室と一体となるように構築した平屋住宅が大津波の上に浮き上がった後、ドアを９０度開口して固定すると共に、船外機を下部の取付金具に移設して駆動させ、船外機の操作レバーを操作し、浮力室と一体となるように構築した平屋住宅の進行方向を変えた事を特徴とする。
【発明の効果】
【００１８】  請求項１に記載の発明によれば、地盤に構築した基礎構造体の上部に、周囲を鋼板で囲い床部を面格子状に鋼板で塞ぎ、内部に発泡ポリスチレンフォームを嵌め込んだ浮力室を載せ、その浮力室の上部に浮力室と一体となるように平屋住宅を構築し、大津波が押し寄せた際、浮力室と一体となるように構築した平屋住宅を、概ね水平状態を保った状態で水面に浮上させ、船外機用外開きドアを開けてドアを固定し、船外機用外開きドアの室内側に横向きに設置した船外機を下げて稼動させ、平屋住宅を自走させた事により、平常時には平屋住宅を居室として活用し、大津波が押し寄せて来た際には安全に避難するための救命住宅としての役目を果たし、水中に長時間入れても表面に水が付着するだけで、吸水量が非常にわずかな発泡ポリスチレンフォームを鋼板で囲い、平屋住宅を水面上に浮かせるための浮力材として活用したため、簡単な構造と安価な費用で、安全性の高い津波対応浮上式小部屋を建築する事が可能となった。【００１９】  請求項２に記載の発明によれば、大津波が押し寄せて来る方向の、地盤に構築した基礎構造体の左右に、平行四辺形の形状をして四隅を回動自在に固定したリフト装置の下部支鋼材の両端を固定し、リフト装置を配置した平屋住宅の外壁面に、リフト装置の上部受鋼材を受け止めるための逆Ｌ字型をした受金物を取付け、平行四辺形の形状をしたリフト装置の上部受鋼材に、外壁面の逆Ｌ字型をした受金物を載せた事により、最初の大津波が押し寄せ、大津波により平屋住宅の一端が、船が大波を乗り越える時のように、持ち上がるような状態になった場合において、持ち上がる反対側の平屋住宅の一端がリフト装置の上部受鋼材により持ち上げられ、平屋住宅がスムーズに上昇し、そのため平屋住宅が横転したり転覆する危険性が無くなり、概ね水平状態を保った状態で浮上させる事が可能になると共に、平屋住宅が大津波の水面に浮上した場合、外壁面の逆Ｌ字型をした受金物がリフト装置の上部受鋼材から自動的に外れる事により、平屋住宅は大津波に流されて安全に避難する事が可能となった。【００２０】  請求項３に記載の発明によれば、大津波が押し寄せて来る方向の、地盤に構築した基礎構造体の左右何れか一方に、平行四辺形の形状をして四隅を回動自在に固定したリフト装置の下部支鋼材の両端を固定し、リフト装置を配置した平屋住宅の外壁面に、リフト装置の上部受鋼材を受け止めるための逆Ｌ字型をした受金物を取付け、平行四辺形の形状をしたリフト装置の上部受鋼材に、外壁面の逆Ｌ字型の受金物を載せた事により、最初の大津波が押し寄せ、大津波により平屋住宅の一端が、船が大波を乗り越える時のように、持ち上がるような状態になった場合において、リフト装置を、平屋住宅の左右いずれか一方に限定したため、平屋住宅が水面に浮上するまで多少の揺れや傾きは生ずるものの、コストを概ね半分に抑えられ、持ち上がる反対側の平屋住宅の一端がリフト装置の上部受鋼材により持ち上げられ、平屋住宅が比較的スムーズに上昇し、そのため平屋住宅が横転したり転覆する危険性が無くなり、概ね水平状態を保った状態で浮上させる事が可能になると共に、平屋住宅が大津波の水面に浮上した場合、外壁面の逆Ｌ字型をした受金物がリフト装置の上部受鋼材から自動的に外れる事により、平屋住宅は津波に流されて安全に避難する事が可能となった。【００２１】  請求項４に記載の発明によれば、船外機用外開きドアの室内側に、船外機をドアに対して横方向に設置するための取付金具を上下２ヵ所に設置し、上部の取付金具に船外機を設置し、浮力室と一体となるように構築した平屋住宅が大津波の上に浮き上がった後、ドアを９０度開口して固定すると共に、船外機を下部の取付金具に移設して駆動させ、船外機の操作レバーを操作し、浮力室と一体となるように構築した平屋住宅の進行方向を変えた事により、非常事で気持ちが動転しているような状態においても船外機を容易に操作する事が出来るようになり、安全に避難する事が可能となった。
【実施例１】
【００２２】  以下、この発明の実施の形態１について説明する。
［発明の実施の形態１］【００２３】  図１乃至図７には、この発明の実施の形態１を示す。【００２４】  図１と図２は、本発明の津波対応浮上式小部屋の、基礎部２１と浮力室１１と平屋住宅１を立体図で示すと共に、図１では浮力室１１を部品の分解図で示し、図２では浮力室１１を組立図で示す。地盤に基礎部２１の基礎構造体１６、１７、１８、１９を構築し、その上部には、四隅に四角鋼材の支柱１０を配置し、その四角鋼材の隣り合う側面の上下部分を、互いに角形鋼管で形成した上部梁１３と下部梁１４で溶接して接合し、底面は面格子状になるように下部梁１４に対して平鋼材を溶接して床梁１５を形成し、浮力室１１の周囲の骨格（上部梁１３、下部梁１４）の外側の側面に平板状の鋼板１２を溶接して取付け、このように構成した枡形状をした浮力室１１の内側に直方体の形状をした発泡ポリスチレンフォーム９（４枚の発泡ポリスチレンフォームを並べて１枚となるように構成した）を嵌め込み、浮力室１１の上部に浮力室１１と一体となるように平屋住宅１を構築し、平屋住宅１には出入口ドア６を取付け、室外から出入口ドア６を開けて入室出来るように、出入口ドア６の室外側には地盤に固定した階段２０を配置する。【００２５】  浮力室１１に発泡ポリスチレンフォーム９を使う理由は、軽くて丈夫で、加工が簡単で、水中に長時間入れても表面に水が付着するだけで、吸水量は非常にわずかで、水中に侵漬しても膨潤したり、軟化、変形、変質したりすることが無く、硬質ウレタンフォームに比べ吸水量が概ね３分の１で、水を吸収しにくい性質を有するため、本発明の浮力材としては最適であり、建築する平屋住宅１の大きさ（述べ床面積）と重量に対して、浮力室１１の容積を変化させ、発泡ポリスチレンフォーム９の嵌め込み量を増減させる事により容易に対応する事が出来る。このように構成した事により、大津波が押し寄せて来た場合でも、浮力室１１の中に嵌め込んだ発泡ポリスチレンフォーム９の浮力により、平屋住宅１を大津波の水面に浮上させる事が可能となった。【００２６】  さらに、平屋住宅１は、一般的な在来工法住宅、ツーバイフォー住宅、軽量鉄骨住宅で作られ、浮力室１１と平屋住宅１は、浮力室１１の支柱１０と上部梁１３に溶接されたボルト（図示せず）を平屋住宅１の土台（図示せず）にナット（図示せず）で固定する事により、浮力室１１と平屋住宅１が一体となり、壁の内部には断熱材を使用し、床にはフローリングを施工し、日常生活を快適に過ごす事が出来るように平屋住宅１は建築される。さらに、平屋住宅１の内部には、冬季に避難する際に必要な人体を寒さから守るため、少なくとも「４人分の保温シート」「懐中電灯付手回しラジオ」「笛」と、平屋住宅１の内部に侵入した水を汲み出したり、大小便にも利用する事ができる「排水具」と、平屋住宅１を安全な場所に避難させるための「鉤付オール」と、平屋住宅１を係留させるための「ロープ」が装備される。【００２７】  図３は、図１と図２で説明した基礎構造体１６、１７、１８、１９の上部に浮力室１１を載せ、その浮力室１１の上部に浮力室１１と一体となるように平屋住宅１を構築し、大津波が押し寄せて来る方向の、地盤に構築した基礎構造体の左右に、平行四辺形の��状をして四隅を回動自在にボルト２６、２８、３３、３５で固定したリフト装置２５の下部支鋼材３０の両端を地盤に構築した基礎構造体２９、３２に固定し、リフト装置２５を配置した平屋住宅１の壁面４の下部に、リフト装置２５の上部受鋼材３６を受け止めるための逆Ｌ字型をした２個の受金物３７、３８を互いに間隔を離して取付け、平行四辺形の形状をしたリフト装置２５の上部受鋼材３６に、壁面４に取付けられ逆Ｌ字型をした受金物３７と３８を載せた状態を立体図で示す。【００２８】  リフト装置２５は、４本のＬ型鋼材で平行四辺形の形状に構成され、下部を形成する下部支鋼材３０はＬ型鋼材で構成され、両端部が地盤に構築した基礎構造体２９、３２にアンカーボルト（図示せず）で固定されると共に、両端部にはＬ型鋼材で形成された横支鋼材２７、３４が回動自在にボルト２８、３３で下部支鋼材３０に取付けられ、さらに横支鋼材２７、３４の先端部は、Ｌ型鋼材で形成された上部受鋼材３６の両端が回動自在にボルト２６、３５で取付けられる。このように構成されたリフト装置２５は、横支鋼材２７、３４が基礎構造体２９、３２に固定された下部支鋼材３０に対して回動自在に取付けられるため、下部支鋼材３０と横支鋼材３４に取付けられたスプリング３１の力により、横支鋼材３４は常に下部支鋼材３０に対して垂直方向に回転しようとする力が働いている。このように構成する事により、大津波により平屋住宅１の一端が持ち上げられるような状態において、例えば、受金物３８が上部受鋼材３６に対して浮き上がるような状態になった場合、受金物３８が上部受鋼材３６を押さえている力が無くなり、受金物３８が上部受鋼材３６から離れて浮かび上がろうとすると同時に、浮力室１１全体にも大津波の水面に浮かび上がろうとする力が働くため、受金物３７が上部受鋼材３６を押さえている力が減少し、スプリング３１の力で横支鋼材３４が下部支鋼材３０に引き寄せられる事により、上部受鋼材３６が受金物３７を持ち上げるため、平屋住宅１は概ね水平状態を保った状態で水面３９の上に浮上する事が可能となる。さらに、上部受鋼材３６から浮き上がった状態の平屋住宅１の受金物３８が、反動で水中に沈み込もうとする場合、受金物３８が上部受鋼材３６の上部に位置するため、平屋住宅１の一端が持ち上げられた後の反動で平屋住宅１の一端が水面３９から水中に沈み込もうとした場合においても、上部受鋼材３６が沈み込もうとする受金物３８を受け止める事が出来るため、上部受鋼材３６が受金物３８の反動を押える事により平屋住宅１は概ね水平状態を保つ事が可能となる。【００２９】  なお、リフト装置２５の上部受鋼材３６、下部支鋼材３０の長さや、横支鋼材２７、３４の長さは平屋住宅１の大きさにより異なり、さらに、受金物３７、３８を互いに離す間隔も同様に平屋住宅１の大きさにより異なる。このように大津波に対して横支鋼材２７、３４が比較的短い形状のリフト装置２５を採用した理由は、最初の大津波が押し寄せて来た際には、船が大波を乗り越える時のように、平屋住宅１の一端が持ち上がるため、平屋住宅１が横転したり転覆したりする可能性が大であるが、水面の高さが、ほぼ一定の高さ（３〜４メートル）になれば、大津波の表面���波が逆立つ事なく穏やかな状態となるため、リフト装置２５の横支鋼材２７、３４の長さを３〜４メートルの長さにした場合においても、平屋住宅１を概ね水平状態を保った状態で大津波の水面に浮上させる事が可能となる。【００３０】  このように構成したリフト装置２５を、大津波が押し寄せて来る方向に対して、平屋住宅１の左右の壁面４に配置する事により、大津波が押し寄せて来た場合においても、平屋住宅１を概ね水平状態を保った状態で浮上させる事が出来る。【００３１】  図４は、図３で説明した、浮力室１１の上部に浮力室１１と一体となるように構築した平屋住宅１が大津波により持ち上げられた事により、浮力室１１が水面３９の下に沈み、リフト装置２５の上部受鋼材３６の上部に平屋住宅１に取り付けられた受金物３７、３８が載った状態で大津波の水面に浮き上がった状態を立体図で示す。【００３２】  浮力室１１と一体となるように構築した平屋住宅１が、浮力室１１の内部に詰め込まれた発泡ポリスチレンフォーム９の浮力により大津波の水面に浮かび上がる際、平屋住宅１の一端が持ち上げられるような状態になっても、リフト装置２５に取付けられたスプリング３１の力により、上部受鋼材３６が下部支鋼材３０に対して平行状態を保った状態で上昇し、平屋住宅１を概ね水平状態を保った状態で水面３９に浮上させる事が出来る。このようにリフト装置２５の上部受鋼材３６と、平屋住宅１の受金物３７、３８を固定せず、上部受鋼材３６が受金物３７、３８に対して自由に横滑りしながら上昇するように構成した事により、大津波で平屋住宅１が縦揺れや横揺れを起こした場合においてもスムーズに平屋住宅１を大津波の水面に浮上させる事が可能となった。【００３３】  図５は、図４で説明した平屋住宅１に押し寄せた大津波の高さが非常に高く、平屋住宅１の受金物３７、３８がリフト装置２５の上部受鋼材３６から外れた状態を示す。このように平屋住宅１の受金物３７、３８をリフト装置２５の上部受鋼材３６に載せた状態で構成する事により、非常に高さの高い大津波が押し寄せて来た場合、平屋住宅１がリフト装置２８から自動的に外れ大津波の流れに沿って流される。【００３４】  このように平屋住宅１の下部に発泡ポリスチレンフォーム９を嵌め込んだ浮力室１１を配置し浮力室１１の回りを鋼板１２で囲った事により、平屋住宅１が大津波の水面を流されている最中に、平屋住宅１が自動車や電柱や建物等に接触した場合においても、浮力室１１の回りを鋼板１２で囲った事により、鋼板１２が一部損傷する事はあっても浮力室１１が破壊されるような事態は起こらず、さらに発泡ポリスチレンフォーム９は水を吸収しにくい性質を有するため、平屋住宅１が水中に沈む事なく安全に避難する事が出来るようになった。【００３５】  図６ａ、図７は、平屋住宅１に取付けられた船外機用外開きドア４７の取付け位置と、船外機用外開きドア４７に、船外機４６を取付けた状態を示す。さらに、図７では浮力室１１と連結した平屋住宅１が大津波の水面に浮き上がった後、船外機用外開きドア４７の開閉ドア５０を開けて固定し、開閉ドア５０に設置した船外機４６を下部の取付金具に移設して稼動させた状態を立体図で示す。この場合に使用する船外機４６は���一般に小型ボート用として市販されている２馬力程度の２ストロークエンジンを使用した船外機を使用する事により、燃料（混合ガソリン）の保管も容易で、軽くて操作も簡単で移設も容易に行う事を可能とする。【００３６】  図６ｂは、船外機用外開きドア４７の開閉ドア５０を閉めた状態において開閉ドア５０に取付けた船外機上部取付金具５２の位置と、船外機下部取付金具５３の上下の位置関係を示す。図６ｃは、図６ｂで説明した船外機上部取付金具５２に船外機４６を開閉ドア５０の内側に横向きに取付けた状態を示す。図６ｄは、図６ｃで説明した開閉ドア５０を９０度外側に開放し、開閉ドア５０に取付けられ鉤形をしたドア固定用フック５５をドア枠４８に取付けられ半円形をしたフック固定金物５６に引っ掛けて固定した状態を示す。このように開閉ドア５０を固定する事により、船外機４６が平屋住宅１に対して進行方向を向くように配置される。船外機上部取付金具５２と船外機下部取付金具５４の形状については、設置する船外機４６の種類と大きさ（馬力）によっても異なると共に、船外機上部取付金具５２を取付ける位置は本発明の津波対応浮上式小部屋が大津波で流され、開閉ドア５０を９０度外側に開口する際、船外機４６がドア枠４８に接触しない位置に取付ける。さらに船外機下部取付金具５４を取付ける位置は、船外機用外開きドア４７の開閉ドア５０を９０度外側に開口し、ドア固定用フック５５とフック固定金物５６で開閉ドア５０を固定し、船外機４６を船外機上部取付金具５２から取外し船外機下部取付金具５４に移設した際、船外機４６のスクリュウが水中に十分水没する位置に取付ける。【００３７】  このように船外機用外開きドア４７を構成する事により、室内で平常時においても妨げとならないように船外機４６を配置する事が可能となると共に、非常時で気持ちが動転しているような状態においても、単に開閉ドア５０を開けて船外機４６を下部の船外機下部取付金具５４に移設するという簡単な操作で、船外機４６を平屋住宅１の外に固定し稼動させる事が可能となるため、津波が海岸から沖合いに向かって進行する引き波により平屋住宅１が沖合いまで流された場合でも、自力で安全に陸地まで戻る事が出来る。【００３８】  図７は、図６で説明した浮力室１１の上部に浮力室１１と一体となるように構築した平屋住宅１が大津波の水面に浮き上がった状態を立体図で示す。図６ｄで説明したように、船外機用外開きドア４７の開閉ドア５０を９０度外側に開口し、ドア固定用フック５５とフック固定金物５６で開閉ドア５０を固定し、船外機４６を船外機上部取付金具５２から取外して船外機下部取付金具５４に移設し、平屋住宅１が水面３９に浮かんで自走出来るようになった状態を示す。
【実施例２】
【００３９】  以下、この発明の実施の形態２について説明する。
［発明の実施の形態２］【００４０】  図８乃至図１０は、この発明の実施の形態２を示す。上記発明の実施の形態１では、図３において、平屋住宅１の左右の両方の壁面４に受金物３７、３８が２基配置され、その受金物３７、３８に対応して、リフト装置２５が平屋住宅１の左右に２箇所配置されるが、この発明の実施の形態２では、大津波の押し寄せて来る方向の、平屋住宅６０の左右何れか一方に、図３乃至図５で説明したリフト装置２５と受金物３７、３８を１基配置するように構成する。【００４１】  このように構成する事により、大津波が押し寄せて来た際、この発明の実施の形態１に比べ、リフト装置を２基から１基に減少させた事により、平屋住宅１が水面に浮上するまで多少の揺れや傾きは生ずるものの、建築する際の費用を大幅に抑える事が可能となり、費用対効果を高くする事が可能となる。その他の構造については、この発明の実施の形態１と同様である。【００４２】  以上、実施の形態に基づいて、本発明に係る津波対応浮上式小部屋（リフト式）について詳細に説明してきたが、本発明は、以上の実施の形態に限定されるものではなく、発明の趣旨を逸脱しない範囲において各種の改変をなしても、本発明の技術的範囲に属するのはもちろんである。【００４３】  図１、図２において、支柱１０と基礎構造体との契合方法について記載していないが、古い神社の柱と置石のように、基礎構造体の一部に角穴を開け、支柱１０の下部に逆凸部を形成し、基礎構造体の角穴と逆凸部を契合させる事により、地震等で平屋住宅が揺れた場合にも、住宅が基礎から外れて倒壊するのを防ぐと共に、大津波で平屋住宅が持ち上げられた場合には、自動的に角穴と逆凸部の契合が外れるように構成する事も、もちろん可能である。【００４４】  図３において、リフト装置２５は４本のＬ型鋼材で平行四辺形の形状に構成され、と説明したが。リフト装置２５はＬ型鋼材に限定せず、Ｃ形鋼、角形鋼管を使用する事も、もちろん可能である。【００４５】  図３乃至図５において、リフト装置２５の横支鋼材３４を下部支鋼材３０に対して回動させるため、一本のスプリング３１を使用しているが、複数のスプリングを採用し取付場所を変更して使用する事も、もちろん可能である。【００４６】  図６、図７において、船外機４６を取付けた壁の反対側の壁に出入口ドア６だけを取付けているが、一人で平屋住宅１に避難し、一人で平屋住宅１を自走させるような場合を想定すれば、その出入口ドア６の両側に前方を見渡す事が出来る透明な窓等を取付ける事により、より一層安全に平屋住宅１を自走させる事が可能となる。
【図面の簡単な説明】
【００４７】
【図１】この発明の実施の形態１に係る、津波対応浮上式小部屋の基礎部と浮力室と平屋住宅を立体図で示すと共に、浮力室を分解図で示す。
【図２】同実施の形態に係る、津波対応浮上式小部屋の基礎部と浮力室と平屋住宅を立体図で示す。
【図３】同実施の形態に係る、浮力室の上部に浮力室と一体となるように構築した平屋住宅の両側の壁側に、２基のリフト装置を設置し、リフト装置を配置した平屋住宅の外壁面に、リフト装置の上部受鋼材を受け止めるための、逆Ｌ字型をした受金物を取付けた状態を立体図で示す。
【図４】同実施の形態に係る、図３で説明した、浮力室の上部に浮力室と一体となるように構築した平屋住宅が大津波の上に浮き上がった状態を立体図で示す。
【図５】同実施の形態に係る、図４で説明した、浮力室の上部に浮力室と一体となるように構築した平屋住宅が大津波の上に浮き上がり、平屋住宅の外壁面に取付けた逆Ｌ字型をした受金物と、リフト装置の上部受鋼材が外れた状態を立体図で示す。
【図６】同実施の形態に係る、船外機用外開きドアの取付け位置と、開閉ドアに、船外機を取付けた状態を示す。さらに、浮力室と連結した平屋住宅が大津波の上に浮き上がった後、船外機用外開きドアを開けてドアを固定し、ドアに設置した船外機を下げて稼動させた状態を立体図で示す。
【図７】同実施の形態に係る、図６で説明した浮力室の上部に浮力室と一体となるように構築した平屋住宅が大津波の上に浮き上がった状態を立体図で示す。
【図８】この発明の実施の形態２に係る、浮力室の上部に浮力室と一体となるように構築した平屋住宅の、大津波が押し寄せて来る方向の地盤に構築した基礎構造体の左右何れか一方に、平行四辺形の形状をして四隅を回動自在に固定したリフト装置の下部支鋼材の両端を固定し、リフト装置を配置した平屋住宅外壁面に、リフト装置の上部受鋼材を受け止めるための逆Ｌ字型をした受金物を取付け、平行四辺形の形状をしたリフト装置の上部受鋼材に、外壁面の逆Ｌ字型の受金物を引っ掛けた状態を立体図で示す。
【図９】同実施の形態に係る、図８で説明した、浮力室の上部に浮力室と一体となるように構築した平屋住宅が大津波の上に浮き上がった状態を立体図で示す。
【図１０】同実施の形態に係る、図４で説明した、浮力室の上部に浮力室と一体となるように構築した平屋住宅が大津波の上に浮き上がり、平屋住宅の外壁面に取付けた逆Ｌ字型をした受金物と、リフト装置の上部受鋼材が外れた状態を立体図で示す。
【符号の説明】
【００４８】１                  平屋住宅
２                  屋根
３                  窓
４                  壁面
５                  ドア枠
６                  出入口ドア
７                  ドアハンドル
８                  出入口
９                  発泡ポリスチレンフォーム
１０                支柱
１１                浮力室
１２                鋼板
１３                上部梁
１４                下部梁
１５                床梁
１６                基礎構造体
１７                基礎構造体
１８                基礎構造体
１９                基礎構造体
２０                階段
２１                基礎部
２５                リフト装置
２６                ボルト
２７                横支鋼材
２８                ボルト
２９                基礎構造体
３０                下部支鋼材
３１                スプリング
３２                基礎構造体
３３                ボルト
３４                横支鋼材
３５                ボルト
３６                上部受鋼材
３７                受金物
３８                受金物
３９                水面
４６                船外機
４７                船外機用外開きドア
４８                ドア枠
４９                ドアハンドル
５０                開閉ドア
５１                丁番
５２                船外機上部取付金具
５３                丁番
５４                船外機下部取付金具
５５                ドア固定用フック
５６                フック固定金物
６０                平屋住宅
６１                屋根
６２                壁面
６３                窓
６４                出入口
６５                出入口ドア
６６                ドアハンドル
６７                浮力室
６８                階段
６９                ボルト
７０                横支鋼材
７１                ボルト
７２                基礎構造体
７３                下部支鋼材
７４                リフト装置
７５                スプリング
７６                基礎構造体
７７                ボルト
７８                横支鋼材
７９                ボルト
８０                上部受鋼材
８１                受金物
８２                受金物
８３                ドア枠
８４                基礎構造体
８５                基礎構造体
８６                基礎構造体
８７                基礎構造体
８８                水面
【図１】
2014201304.tif 000003
【図２】
2014201304.tif 000004
【図３】
2014201304.tif 000005
【図４】
2014201304.tif 000006
【図５】
2014201304.tif 000007
【図６】
2014201304.tif 000008
【図７】
2014201304.tif 000009
【図８】
2014201304.tif 000010
【図９】
2014201304.tif 000011
【図１０】
2014201304.tif 000012